(57)【要約】【課題】ブラシにおいて、芯材を挟んだブラシ単体の２つ折り部を回転軸の取付溝にスムースに嵌合すること。【解決手段】回転軸１１の外周の周方向複数位置に、狭幅の開口部１３をもち、かつ軸方向に延在する取付溝１２を設け、該取付溝１２の軸方向に沿う少なくとも一端を回転軸１１の端面に開放し、ブラシ単体２１の２つ折り部２１Ａに芯材２２を挟み込み、ブラシ単体２１の２つ折り部２１Ａを芯材２２とともに回転軸１１の端面に開放する各取付溝１２の一端から該取付溝１２に嵌合するブラシにおいて、前記芯材２２を挟み込んだブラシ単体２１の２つ折り部２１Ａの周囲に挟み具２３を被着し、ブラシ単体２１の２つ折り部２１Ａを挟み具２３とともに回転軸１１の取付溝１２に嵌合するもの。【選択図】  図２
2004243841.tif 000002
【特許請求の範囲】
【請求項１】
回転軸の外周の周方向複数位置に、狭幅の開口部をもち、かつ軸方向に延在する取付溝を設け、該取付溝の軸方向に沿う少なくとも一端を回転軸の端面に開放し、
ブラシ単体の２つ折り部に芯材を挟み込み、ブラシ単体の２つ折り部を芯材とともに回転軸の端面に開放する各取付溝の一端から該取付溝に嵌合するブラシにおいて、
前記芯材を挟み込んだブラシ単体の２つ折り部の周囲に挟み具を被着し、ブラシ単体の２つ折り部を挟み具とともに回転軸の取付溝に嵌合することを特徴とするブラシ。
【請求項２】
前記挟み具がばね材にて構成される請求項１に記載のブラシ。
【請求項３】
前記ブラシ単体の２つ折り部の周囲に沿う挟み具の両端部が、回転軸の取付溝に嵌合した状態で、該回転軸の取付溝を挟む両端の外周に向けて滑らかに拡開する丸味部をなす請求項１又は２に記載のブラシ。
【発明の詳細な説明】
【０００１】
【発明の属する技術分野】
本発明は洗車機等に用いて好適なブラシに関する。
【０００２】
【従来の技術】
洗車ブラシとして、特許文献１に記載の如く、回転軸の外周の周方向複数位置に、狭幅の開口部をもち、かつ軸方向に延在する取付溝を設け、該取付溝の軸方向に沿う少なくとも一端を回転軸の端面に開放し、ブラシ単体の２つ折り部に芯材を挟み込み、ブラシ単体の２つ折り部を芯材とともに回転軸の端面に開放する各取付溝の一端から該取付溝に嵌合するものがある。
【０００３】
特許文献１の洗車ブラシによれば、回転軸に設けた取付溝に嵌合したブラシ単体の２つ折り部が芯材を挟み込んでいるから、取付溝の内部に嵌合されたブラシ単体の２つ折り部の全幅を取付溝の開口部の幅に比して十分に広幅にし、ブラシ単体を回転軸に強固に取付けできる。
【０００４】
【特許文献１】
実登録３０６１０８７（１頁、図１、図３）
【０００５】
【発明が解決しようとする課題】
特許文献１の洗車ブラシでは、ブラシ単体の２つ折り部が芯材を挟み込んだ状態で、回転軸に設けた取付溝の該回転軸の端面に開放する一端から軸方向に押し進められて、該取付溝に嵌合される。
【０００６】
このとき、ブラシ単体の２つ折り部は、芯材を挟んで外方に膨れた状態のまま、スポンジ状プラスチックや布等の低剛性で、摩擦係数の高い表面を直接的に取付溝の溝面にこすりながら押し進められるものとなり、該取付溝への嵌合作業性が悪い。
【０００７】
また、回転軸の取付溝に嵌合したブラシ単体は、洗浄作業中に揺れ動き、取付溝の開口部を挟む両側にエッジにくり返し当たって傷付き易く、耐久性を損なう。
【０００８】
本発明の課題は、ブラシにおいて、芯材を挟んだブラシ単体の２つ折り部を回転軸の取付溝にスムースに嵌合することにある。
【０００９】
本発明の他の課題は、ブラシ単体の耐久性を向上することにある。
【００１０】
【課題を解決するための手段】
請求項１の発明は、回転軸の外周の周方向複数位置に、狭幅の開口部をもち、かつ軸方向に延在する取付溝を設け、該取付溝の軸方向に沿う少なくとも一端を回転軸の端面に開放し、ブラシ単体の２つ折り部に芯材を挟み込み、ブラシ単体の２つ折り部を芯材とともに回転軸の端面に開放する各取付溝の一端から該取付溝に嵌合するブラシにおいて、前記芯材を挟み込んだブラシ単体の２つ折り部の周囲に挟み具を被着し、ブラシ単体の２つ折り部を挟み具とともに回転軸の取付溝に嵌合するようにしたものである。
【００１１】
請求項２の発明は、請求項１の発明において更に、前記挟み具がばね材にて構成されるものである。
【００１２】
請求項３の発明は、請求項１又は２の発明において更に、前記ブラシ単体の２つ折り部の周囲に沿う挟み具の両端部が、回転軸の取付溝に嵌合した状態で、該回転軸の取付溝を挟む両端の外周に向けて滑らかに拡開する丸味部をなすようにしたものである。
【００１３】
【作用】
請求項１の発明によれば下記▲１▼の作用効果がある。
▲１▼ブラシ単体の２つ折り部は、芯材を挟み込んだ状態で、挟み具を被着される。
【００１４】
従って、ブラシ単体の２つ折り部は、芯材を挟んでいても挟み具により外方への膨らみを抑えられ、挟み具の被着状態で該挟み具の外径を、回転軸に設けた取付溝の溝径に嵌合し得るサイズにされ、取付溝にスムースに嵌合される。
【００１５】
また、ブラシ単体の２つ折り部は、金属やプラスチック等の高剛性で、摩擦係数の低い表面をもつ挟み具を介して回転軸に設けた取付溝の溝内に押し進められ、これによっても、取付溝にスムースに嵌合される。
【００１６】
回転軸の取付溝に嵌合された挟み具の外径は、挟み具を被着したブラシ単体の２つ折り部に芯材を挟み込んでいることにより、取付溝の内部で取付溝の開口部の幅より十分な広幅を維持し、ブラシ単体を回転軸に強固に取付けできる。
【００１７】
請求項２の発明によれば下記▲２▼、▲３▼の作用効果がある。
▲２▼挟み具をばね材にて構成することにより、挟み具の弾性的な縮径習性により、芯材を挟み込んだプラスチック単体の２つ折り部の外方への膨らみを簡易に抑えることができる。
【００１８】
▲３▼芯材を挟んだブラシ単体の２つ折り部に被着した挟み具の外径を工具等により回転軸に設けた取付溝の溝径よりも大きな径から弾性的に縮径させたサイズにし、取付溝にスムースに嵌合できる。縮径されて取付溝に嵌合された挟み具は、嵌合後に弾性的に拡径して取付溝の溝面に隙間なく圧接し、取付溝に強固に固定される。
【００１９】
請求項３の発明によれば下記▲４▼の作用効果がある。
▲４▼回転軸の取付溝に挟み具を介して嵌合したブラシ単体は、洗浄作業中に揺れ動き、挟み具の両端部にくり返し当たっても、挟み具の両端部が丸味部をなしているために傷付くことがなく、耐久性を向上できる。
【００２０】
【発明の実施の形態】
図１は洗車ブラシを示す正面図、図２は洗車ブラシの一部のブラシ単体を嵌合完了した状態を示す横断面図、図３は図２の拡大図、図４は挟み具を被着したブラシ単体を示す斜視図である。
【００２１】
洗車ブラシ１０は、洗車機のトップブラシ、サイドブラシ等として用いられるものであり、図１に示す如く、アルミ合金等からなる回転軸１１の外周に多数のブラシ単体２１を取付けて構成される。ブラシ単体２１は、エチレンビニルアセテート（ＥＶＡ）等のスポンジ状プラスチック、ポリプロピレンやポリエチレン等のプラスチック、布、又は撚り糸状繊維等からなる。本実施形態のブラシ単体２１は、１枚又は２枚以上重ね状にした可撓帯板状をなすが、可撓線棒状をなすものでも良い。
【００２２】
回転軸１１は、図２、図３に示す如く、円筒をなし、外周の周方向複数位置に、狭幅の開口部１３をもち、かつ軸方向に延在する取付溝１２を設け、取付溝１２の軸方向に沿う少なくとも一端、本実施形態では両端を該回転軸１１の端面に開放している。取付溝１２の端面は軸方向に直交する横断面の形状を円弧からなるＵ字状にし、開口部１３は取付溝１２のＵ字状溝面の両端に設けられた、回転軸１１の外周に滑らかにつながる丸味部１３Ａにより形成される。
【００２３】
ブラシ単体２１は、図２〜図４に示す如く、２つ折り状にされ、２つ折り部２１Ａの全長において芯材２２を挟み込み、２つ折り部２１Ａの芯材２２を挟む全幅を芯材２２の存在によって取付溝１２の開口部１３の幅より十分に広幅にした状態で、２つ折り部２１Ａを芯材２２とともに回転軸１１の端面に開放する取付溝１２に嵌合して用いられる。本実施形態の芯材２２は、中実丸棒状をなすが、中空丸棒状、又は角棒状をなすものでも良い。
【００２４】
本発明では、芯材２２を挟み込んだブラシ単体２１の２つ折り部２１Ａの周囲に挟み具２３を被着し、ブラシ単体２１の２つ折り部２１Ａを挟み具２３とともに、回転軸１１の端面に開放する取付溝１２の一端から回転軸１１の軸方向に押し進め、取付溝１２に嵌合する。挟み具２３は、２つ折り部２１Ａにおける芯材２２の長手方向に沿う全長（一部でも可）に渡って被着される長尺状をなす。
【００２５】
挟み具２３は、金属又はプラスチックからなるばね材にて構成され、芯材２２を挟み込んだブラシ単体２１の２つ折り部２１Ａに被着された自由状態で、２つ折り部２１Ａの外方への膨らみを抑える弾性的な縮径習性を備える。挟み具２３は、芯材２２を挟み込んだブラシ単体２１の２つ折り部２１Ａに被着された自由状体の外径を、回転軸１１の取付溝１２の溝径に隙間なく嵌合し得るサイズ、又は取付溝１２の溝径より少し大きめのサイズに設定される。挟み具２３は、外力により弾性的に取付溝１２の溝径より縮径されて取付溝１２に容易に押し進め可能にされる。
【００２６】
挟み具２３は、長手方向に直交する横断面の形状を、回転軸１１の取付溝１２に隙間なく倣う円弧からなるＵ字状とする。挟み具２３は、ブラシ単体２１の２つ折り部２１Ａの周囲に沿う両端部を、回転軸１１の取付溝１２に嵌合した状態で、回転軸１１の取付溝１２を挟む両側の外周に向けて滑らかに拡開するように、取付溝１２の開口部１３の丸味部１３Ａに隙間なく倣う丸味部２３Ａをなすものにする。
【００２７】
２つ折り部２１Ａで芯材２２を挟み込み、２つ折り部２１Ａに挟み具２３を被着したブラシ単体２１における芯材２２の長手方向に沿う長さＬは、本実施形態では、回転軸１１の取付溝１２の全長を複数分割した長さとし、１個の取付溝１２の全長に複数個のブラシ単体２１を嵌合し、それらのブラシ単体２１を回転軸１１の軸方向にてつなげるものにした。但し、ブラシ単体２１の上述の長さＬは、回転軸１１の取付溝１２の全長に渡る長さとし、単一のブラシ単体２１を１個の取付溝１２の全長に嵌合するものでも良い。
【００２８】
洗車ブラシ１０にあっては、回転軸１１の全取付溝１２にブラシ単体２１を上述の如くに嵌合した状態で、取付溝１２が開放している回転軸１１の端面にエンドプレート１４をボルト止めし、取付溝１２を塞ぐ。
【００２９】
本実施形態によれば以下の作用効果を奏する。
▲１▼ブラシ単体２１の２つ折り部２１Ａは、芯材２２を挟み込んだ状態で、挟み具２３を被着される。
【００３０】
従って、ブラシ単体２１の２つ折り部２１Ａは、芯材２２を挟んでいても挟み具２３により外方への膨らみを抑えられ、挟み具２３の被着状態で該挟み具２３の外径を、回転軸１１に設けた取付溝１２の溝径に嵌合し得るサイズにされ、取付溝１２にスムースに嵌合される。
【００３１】
また、ブラシ単体２１の２つ折り部２１Ａは、金属やプラスチック等の高剛性で、摩擦係数の低い表面をもつ挟み具２３を介して回転軸１１に設けた取付溝１２の溝内に押し進められ、これによっても、取付溝１２にスムースに嵌合される。
【００３２】
回転軸１１の取付溝１２に嵌合された挟み具２３の外径は、挟み具２３を被着したブラシ単体２１の２つ折り部２１Ａに芯材２２を挟み込んでいることにより、取付溝１２の内部で取付溝１２の開口部１３の幅より十分な広幅を維持し、ブラシ単体２１を回転軸１１に強固に取付けできる。
【００３３】
▲２▼挟み具２３をばね材にて構成することにより、挟み具２３の弾性的な縮径習性により、芯材２２を挟み込んだプラスチック単体の２つ折り部２１Ａの外方への膨らみを簡易に抑えることができる。
【００３４】
▲３▼芯材２２を挟んだブラシ単体２１の２つ折り部２１Ａに被着した挟み具２３の外径を工具等により回転軸１１に設けた取付溝１２の溝径よりも大きな径から弾性的に縮径させたサイズにし、取付溝１２にスムースに嵌合できる。縮径されて取付溝１２に嵌合された挟み具２３は、嵌合後に弾性的に拡径して取付溝１２の溝面に隙間なく圧接し、取付溝１２に強固に固定される。
【００３５】
▲４▼回転軸１１の取付溝１２に挟み具２３を介して嵌合したブラシ単体２１は、洗浄作業中に揺れ動き、挟み具２３の両端部にくり返し当たっても、挟み具２３の両端部が丸味部２３Ａをなしているために傷付くことがなく、耐久性を向上できる。
【００３６】
以上、本発明の実施の形態を図面により詳述したが、本発明の具体的な構成はこの実施の形態に限られるものではなく、本発明の要旨を逸脱しない範囲の設計の変更等があっても本発明に含まれる。例えば、挟み具は弾性的な縮径習性を備えたばね材からなることを必須としない。
【００３７】
【発明の効果】
本発明によれば、ブラシにおいて、芯材を挟んだブラシ単体の２つ折り部を回転軸の取付溝にスムースに嵌合することができる。また、本発明によれば、ブラシ単体の耐久性を向上することができる。
【図面の簡単な説明】
【図１】図１は洗車ブラシを示す正面図である。
【図２】図２は洗車ブラシの一部のブラシ単体を嵌合完了した状態を示す横断面図である。
【図３】図３は図２の拡大図である。
【図４】図４は挟み具を被着したブラシ単体を示す斜視図である。
【符号の説明】
１０  洗車ブラシ（ブラシ）
１１  回転軸
１２  取付溝
１３  開口部
２１  ブラシ単体
２１Ａ  ２つ折り部
２２  芯材
２３  挟み具
２３Ａ  丸味部
【図１】
2004243841.tif 000003
【図２】
2004243841.tif 000004
【図３】
2004243841.tif 000005
【図４】
2004243841.tif 000006